(57)【要約】  洗濯機であって、洗濯機の分野に属し、内槽（２００）から排出される水が溢れ出さないよう堰き止める集水構造と、集水構造内の水を排出する排水構造を含み、前記内槽（２００）は、槽体と、槽体の下部に設けられる内槽の槽底を含み、前記集水構造は内槽の槽底の外部に位置する。集水構造が内槽の槽底の外部に位置することで、槽体と洗濯機の筐体（１００）との間隔がより大きくなるため、より大幅な容量拡大を実現可能となる。よって、本設計は合理的であり、構造がシンプルであるとともに、低コストとなる。【選択図】図２
2020516383.tif 000002
【特許請求の範囲】
【請求項１】
内槽を含み、前記内槽が貯水槽である洗濯機であって、
更に、前記内槽から排出される水が溢れ出さないよう堰き止める集水構造と、前記集水構造内の水を排出する排水構造を含み、前記内槽は、槽体と、前記槽体の下部に設けられる内槽の槽底を含み、前記集水構造は内槽の槽底の外部に位置することを特徴とする洗濯機。
【請求項２】
前記集水構造は全体が前記内槽の槽底の下部に位置し、前記排水構造は常時開通状態であることを特徴とする請求項１に記載の洗濯機。
【請求項３】
前記集水構造は上開口を有する集水室を含み、前記集水室の側壁の上端は前記内槽の槽底よりも低く、前記内槽は前記集水室の上開口と連通し、前記排水構造は排水管を含み、前記排水管は前記集水室の室壁と連通し、前記集水室の上開口は排水管の最も高い位置よりも高く、
好ましくは、前記排水管は、前記集水室の底壁に直接連通するとともに、常時開通状態を維持することを特徴とする請求項１又は２に記載の洗濯機。
【請求項４】
前記集水構造は、装着プレートと、前記装着プレートに設けられる堰止リブを含み、前記装着プレートと前記堰止リブとで取り囲むようにして前記集水室が形成され、前記装着プレートには前記集水室内の水を排出する第１排水口が設けられ、前記排水管の給水端は前記第１排水口と連通し、前記堰止リブの上端は排水管の最も高い位置よりも高いことを特徴とする請求項３に記載の洗濯機。
【請求項５】
前記排水構造と前記集水構造との接続箇所は排水管の最も高い位置よりも高くなっており、集水構造内の水は重力の作用で洗濯機から排出され、
好ましくは、前記第１排水口は前記排水管の最も高い位置よりも高いことを特徴とする請求項１〜４のいずれかに記載の洗濯機。
【請求項６】
排水管は給水端が底壁と連通するとともに、排水端が洗濯機の外部までそのまま延伸し、前記排水管の給水端は排水端よりも高く、
好ましくは、前記排水管は給水端から排水端まで高さが徐々に低下していることを特徴とする請求項１〜５のいずれかに記載の洗濯機。
【請求項７】
前記集水構造と排水構造の接続箇所には、前記集水構造から排水管へ流入する水流の速度を緩和及び低下させるための緩衝室が設けられており、
好ましくは、前記緩衝室は集水室と前記排水管との接続箇所に設けられることを特徴とする請求項１〜６のいずれかに記載の洗濯機。
【請求項８】
前記集水室の底壁を下方に凹陥させることで前記緩衝室が形成され、前記第１排水口は前記緩衝室の室壁に設けられ、
好ましくは、集水室の底壁を下方に凹陥させることで底壁と側壁を有する凹型空洞が形成され、前記第１排水口が凹型空洞の底壁に開設されることを特徴とする請求項７に記載の洗濯機。
【請求項９】
前記凹型空洞の側壁は傾斜面であり、前記凹型空洞の側壁は水流方向において徐々に凹型空洞の軸線方向に収縮していることを特徴とする請求項８に記載の洗濯機。
【請求項１０】
前記排水管は給水端と本体を含み、排水管の給水端が緩衝室を形成するよう、前記給水端の直径は本体の管径よりも大きくなっており、
好ましくは、前記給水端の直径は、本体の直径に達するまで水流方向において徐々に縮小することで傾斜面を形成することを特徴とする請求項７に記載の洗濯機。
【請求項１１】
主制御装置と常時開電磁弁を更に含み、前記常時開電磁弁は排水管に設けられて排水管と連通し、常時開電磁弁は主制御装置に電気的に接続されることを特徴とする請求項２〜１０のいずれかに記載の洗濯機。
【発明の詳細な説明】
【技術分野】
【０００１】
本発明は洗濯機の分野に属し、具体的には洗濯機に関する。
【背景技術】
【０００２】
洗濯機は、電気を利用して衣類を洗浄する装置として設計される。一般的に、洗濯機は、洗浄水を蓄える槽と、回転可能に槽の内部に装着される回転槽と、回転可能に回転槽の底部に装着されるパルセータと、回転槽及びパルセータを回転させるよう構成されるモータ及びクラッチを含む。衣類及び洗剤が回転槽に投入された状態で回転槽とパルセータが回転すると、回転槽に投入された衣類とともにパルセータが洗浄水を攪動することで、衣類から汚れが除去される。
【０００３】
洗濯機の洗浄容量を拡大するためには、より大きな回転槽が必要となる。即ち、回転槽の高さ又は直径を増大する必要がある。また、回転槽がより大きなサイズを有する場合には、回転槽を収容する槽及び槽を収容するハウジングもまた、回転槽の拡大に伴って増大する必要がある。
【０００４】
しかし、洗濯機の外観に対応するハウジングの拡大は、洗濯機の設置スペースに大きく規制される。一般的なユーザの家では、洗濯機の設置位置に限りがあるため、洗濯機のハウジングを拡大して洗濯槽の容量を増大させるとの目的を達成することはあまり現実的ではない。そこで、洗濯機のハウジングを増大することなく、如何にして回転槽の容量を拡大するかが、設計者を悩ませる大きな難題となっている。
【０００５】
内槽の容量を拡大するためには、内槽内の水を収集するための集水構造を洗濯機の内部に設置するにあたり、集水構造を内槽の下部に設けて内槽から排出される水を収集する。しかし、洗濯機のサイズの影響で内槽の下部スペースには限界があり、集水構造の容積も限られてしまう。排水設計が良好でないと度々溢流が発生し、洗濯機下部の電気部材が破損したり、床が濡れて滑りやすくなったりする。そこで、内槽の容量を拡大することを前提に、如何にして集水構造による排水を設計するかが現在直面する大きな課題となっている。
【０００６】
上記に鑑みて、本発明を提案する。
【発明の概要】
【発明が解決しようとする課題】
【０００７】
本発明は、従来技術における瑕疵を解消し、常時開通状態の排水構造を設け、排水構造の最も高い位置を前記集水構造の最も高い位置よりも低くすることで、集水構造内の水を重力の作用により排水構造経由で常時排出して、集水構造内の水が水位の過度な上昇により溢れ出すとの事態を防止する洗濯機を提供することを解決しようとする技術的課題とする。当該構造によれば、その他の部材を追加することなく集水構造内の水を排出可能である。本設計は合理的であり、構造がシンプルであるとともに、低コストとなる。
【課題を解決するための手段】
【０００８】
上記の技術的課題を解決すべく、本発明で採用する技術方案の基本思想について以下に述べる。
【０００９】
洗濯機であって、内槽を含み、前記内槽が貯水槽であり、更に、内槽から排出される水が溢れ出さないよう堰き止める集水構造と、集水構造内の水を排出する排水構造を含み、前記内槽は、槽体と、槽体の下部に設けられる内槽の槽底を含み、前記集水構造は内槽の槽底の外部に位置する。
【００１０】
前記集水構造は全体が前記内槽の槽底の下部に位置し、前記排水構造は常時開通状態である。
【００１１】
前記集水構造は上開口を有する集水室を含み、前記集水室の側壁の上端は前記内槽の槽底よりも低く、前記内槽は集水室の上開口と連通し、前記排水構造は排水管を含み、前記排水管は集水室の室壁と連通し、前記集水室の上開口は排水管の最も高い位置よりも高く、好ましくは、前記排水管は、集水室の底壁に直接連通するとともに、常時開通状態を維持する。
【００１２】
前記集水構造は、装着プレートと、装着プレートに設けられる堰止リブを含み、前記装着プレートと堰止リブで取り囲むようにして集水室が形成され、前記装着プレートには集水室内の水を排出する第１排水口が設けられ、前記排水管の給水端は第１排水口と連通し、前記堰止リブの上端は排水管の最も高い位置よりも高い。
【００１３】
前記排水構造と集水構造との接続箇所は排水管の最も高い位置よりも高くなっており、集水構造内の水は重力の作用で洗濯機から排出され、好ましくは、前記第１排水口は前記排水管の最も高い位置よりも高い。
【００１４】
排水管は給水端が底壁と連通するとともに、排水端が洗濯機の外部までそのまま延伸し、前記排水管の給水端は排水端よりも高く、好ましくは、前記排水管は給水端から排水端まで高さが徐々に低下している。
【００１５】
前記集水構造と排水構造の接続箇所には、集水構造から排水管へ流入する水流の速度を緩和及び低下させるための緩衝室が設けられており、好ましくは、前記緩衝室は集水室と前記排水管との接続箇所に設けられる。
【００１６】
前記集水室の底壁を下方に凹陥させることで緩衝室が形成され、前記第１排水口は緩衝室の室壁に設けられ、好ましくは、集水室の底壁を下方に凹陥させることで底壁と側壁を有する凹型空洞が形成され、前記第１排水口が凹型空洞の底壁に開設される。
【００１７】
前記凹型空洞の側壁は傾斜面であり、前記凹型空洞の側壁は水流方向において徐々に凹型空洞の軸線方向に収縮している。
【００１８】
前記排水管は給水端と本体を含み、排水管の給水端が緩衝室を形成するよう、前記給水端の直径は本体の管径よりも大きくなっており、前記給水端の直径は、本体の直径に達するまで水流方向において徐々に縮小することで傾斜面を形成する。
【００１９】
洗濯機は、制御装置と常時開電磁弁を更に含み、前記常時開電磁弁は排水管に設けられて排水管と連通し、常時開電磁弁は主制御装置に電気的に接続される。
【発明の効果】
【００２０】
上記の技術方案を用いることで、本発明は従来技術と比較して以下の有益な効果を有する。
【００２１】
（１）集水構造を設けることで、水が内槽から排出される際に、集水構造により水が堰き止められるため、水が溢れ出すとの事態が防止される。また、集水構造全体が内槽の下方に位置するため、集水構造は内槽と筐体の間に位置する部分の構造を有さない。よって、内槽の容量拡大が制限されず、内槽の容量拡大のために十分なスペースが提供される。
【００２２】
（２）常時開通状態の排水構造を設け、排水構造の最も高い位置を前記集水構造の最も高い位置よりも低くすることで、集水構造内の水を重力の作用により排水構造経由で常時排出する。これにより、集水構造内の水が水位の過度な上昇により溢れ出すとの事態が防止される。
【００２３】
（３）当該設計構造によれば、その他の部材を追加することなく集水構造内の水を排出可能である。よって、本設計は合理的であり、構造がシンプルであるとともに、低コストとなる。
【００２４】
以下に、図面を組み合わせて、本発明の具体的実施形態につき更に詳細に述べる。
【００２５】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２６】
【図１】図１は、本発明における洗濯機の平面構造を示す図である。
【図２】図２は、本発明にかかる直接排水構造の洗濯機の図１のＡ−Ａ方向における断面構造を示す図である。
【図３】図３は、本発明にかかる制御構造を備える洗濯機の図１のＡ−Ａ方向における断面構造を示す図である。
【図４】図４は、本発明における他の構造の洗濯機のＡ−Ａ方向の断面構造を示す図である。
【発明を実施するための形態】
【００２７】
なお、これらの図面及び文字記載は何らかの方式で本発明の構想の範囲を制限するとの意図ではなく、特定の実施例を参照して当業者に本発明の概念を説明するためのものである。
【００２８】
本発明における実施例の目的、技術方案及び利点をより明確とすべく、以下では本発明の実施例にかかる図面を組み合わせて実施例の技術方案につき明瞭簡潔に述べる。なお、以下の実施例は本発明を説明するためのものであって、本発明の範囲を制限するものではない。
【実施例１】
【００２９】
図１〜４に示すように、洗濯機は内槽２００を含む。前記内槽２００は貯水槽である。また、内槽２００から排出される水の溢流を堰き止める集水構造と、集水構造内の水を排出する排水構造を更に含む。前記内槽２００は、槽体と、槽体の下部に設けられる内槽の槽底を含む。集水構造は内槽の槽底の外部に位置する。槽体と内槽の槽底が接続されることで前記内槽が形成され、集水構造が内槽の槽底の外部に位置する。
【００３０】
前記集水構造は全体が前記内槽２００の槽底の下部に位置している。洗濯機が正常運転状態の場合、前記排水構造は常時開通状態となる。内槽の槽底は、底壁と、底壁の上部に設けられる折り返しを含む。折り返しは底壁を取り囲んでおり、底壁と折り返しによって内槽の槽底が形成される。且つ、槽体の下部と折り返しの上部が接続されて前記内槽が形成される。集水構造は折り返しの上縁よりも低くなっているため、集水構造全体が前記内槽の槽底の下部に位置する。
【００３１】
前記排水構造の最も高い位置は前記集水構造の最も高い位置よりも低くなっているため、集水構造内の水は重力の作用によって自動的に排水構造経由で排出される。また、排水構造内の水をウォーターポンプで吸い出してもよい。
【００３２】
当該洗濯機は、筐体１００と、前記内槽２００を回転駆動する駆動装置３００を更に含む。
【００３３】
集水構造を設けることで、水が内槽２００から排出される際に、集水構造により水が堰き止められて収集されるため、水の溢流が防止される。また、集水構造全体が内槽２００の下方に位置するため、集水構造は内槽２００の側壁と筐体１００の間に位置する部分の構造を有さない。そのため、内槽２００の容量拡大が制限されず、内槽２００の容量拡大のために十分なスペースが提供される。
【００３４】
更に、前記集水構造は上開口を有する集水室４００を含む。前記集水室４００の側壁の上端は、前記内槽２００の槽底よりも低くなっている。また、前記内槽２００は集水室４００の上開口と連通する。前記排水構造は排水管４０１を含み、前記排水管４０１が集水室４００の室壁と連通する。また、前記集水室４００の上開口は排水管４０１の最も高い位置よりも高くなっている。
【００３５】
集水室４００を設けることで、内槽２００から排出される水の堰き止めが実現される。また、集水室４００の側壁の上端が前記内槽２００の槽底よりも低くなっており、集水室４００全体が内槽の槽底下方に位置しているため、集水室４００の側壁は内槽２００と筐体１００の間に位置する構造を有さない。よって、内槽２００と集水構造の間に一定の安全距離を設ける必要がなく、内槽２００が集水構造に衝突して破損するとの事態が防止される。且つ、集水構造と筐体１００の間にも安全距離を設ける必要がないため、内槽２００と筐体１００の間の安全距離を設計するだけでよい。よって、内槽２００の槽径を大幅に拡大可能となり、内槽２００の容量拡大がより良好に実現される。
【００３６】
また、排水管４０１と集水室４００の室壁を連通することで、水が集水室４００から排出される。且つ、集水室４００の上開口は排水管４０１の最も高い位置よりも高くなっているため、集水室４００内の水は重力の作用によって円滑に下方に流れ、自動的に排出される。
【００３７】
内槽２００の下部には第２排水口２０４が設けられており、内槽２００内の水を集水構造に排出可能である。洗濯機は、第２排水口２０４を封止する封止装置２０５を含む。給水及び洗濯状態の場合、封止装置２０５は第２排水口２０４を封止し、内槽２００に貯水して洗濯を行う。また、排水・脱水時には封止装置２０５が開放され、水が集水構造の集水室４００に排出される。給水時に流量計等の水位制御部材が故障した場合、水はバランスリングの上部から内槽２００の壁沿いに底部の集水室４００内に流入するが、給水が停止しないことから集水室４００から水が溢れ出してしまう。或いは、脱水・排水時に、内槽２００内の洗浄水は内槽２００から集水室４００に進入するが、液体が過剰となった場合には集水室４００から溢れ出してしまう。或いは、洗濯過程において、内槽２００と集水室４００の間の封止装置２０５が破損していると、洗浄水が内槽２００から集水室４００に進入し、水の進入が停止しないことから水が集水室４００から溢れ出してしまう。上記３種類の状況では、いずれも水が床まで溢流することから、床が濡れて滑りやすくなったり、洗濯機底部の電気部材まで溢流して電気部材が破損したりする。
【００３８】
そこで、排水構造を設けることで集水構造内の水を排出する。排水構造は常時開通状態とする。前記排水構造の最も高い位置は前記集水構造の最も高い位置よりも低くなっているため、集水構造内の水は重力の作用によって排水構造経由で排出される。当該構造設計は合理的であり、部材を追加する必要がないため、大幅にコストが削減される。また、集水構造は内槽の槽底の下部に設けられ、空間的な制限から集水能力が規制されるため、気を付けなければ溢流の恐れがある。そこで、水を直接排出可能な排水構造を設け、常時排水を実現可能とする。これにより、集水構造内の水が高水位まで蓄積することがなくなるため、溢流のリスクが大幅に低下する。
【００３９】
更に、前記排水管４０１は集水室４００の底壁に直接連通し、常時開通状態を維持することで集水室４００内の水を余すことなく全て排出可能としている。これにより、集水室４００の性能に影響することなく、常時開通状態となって水を常に排出可能である。
【００４０】
更に、前記集水構造は、装着プレート５００と、装着プレート５００に設けられる堰止リブ５０１を含む。また、前記装着プレート５００と堰止リブ５０１で取り囲むようにして集水室４００が形成される。前記装着プレート５００には、集水室４００内の水を排出する第１排水口９００が設けられている。前記排水管４０１の給水端は第１排水口９００と連通する。また、前記堰止リブ５０１の上端は排水管４０１の最も高い位置よりも高くなっている。装着プレート５００と堰止リブ５０１を設け、これらで取り囲むようにして集水室４００が形成されるため、当該構造はシンプルであり、加工成形が容易である。堰止リブ５０１と装着プレート５００は一体的に成型されて集水室４００を形成してもよいし、その他の固定方式（例えば接着）を用いてもよい。また、堰止リブ５０１の上端は排水管４０１の最も高い位置よりも高くなっているため、集水室４００内の水を重力の作用によって自動的に排出可能である。
【００４１】
更に、前記排水構造と集水構造との接続箇所は排水管４０１の最も高い位置よりも高くなっているため、集水構造内の水は重力の作用によって洗濯機から自動的に排出される。接続箇所を排水管４０１の最も高い位置よりも高くすることで、集水構造内の水は接続箇所から排出されたあと、位置エネルギーの上昇段階を経る必要がない。よって、水の排出抵抗が減少し、集水構造からより円滑に水が排出される。
【００４２】
更に、前記第１排水口９００は前記排水管４０１の最も高い位置よりも高くなっているため、水は第１排水口９００から排出されたあと、位置エネルギーが徐々に低下する。これにより、排水がより迅速となる。
【００４３】
更に、排水管は給水端が底壁と連通するとともに、排水端が洗濯機の外部までそのまま延伸している。排水用にその他の部材は設けられない。また、前記排水管４０１の給水端は排水端よりも高くなっている。
【００４４】
更に、前記排水管４０１は、給水端から排水端まで高さが徐々に低下しており、水流を方向転換させる部位を減らしている。これにより、位置エネルギーが徐々に低下するため、水の排出がより円滑となる。
【００４５】
更に、前記集水構造と排水構造の接続箇所には、集水構造から排水管４０１へ流入する水流の速度を緩和及び低下させるための緩衝室８０２が設けられている。一般的に、集水構造と排水構造の間は、例えば係接、挿接又はネジ接続といった取り外し可能な接続方式となっている。そのため、水流が速すぎると、排水構造と集水構造との接続箇所に過度な衝撃がかかって変形しやすく、漏水が発生したり、深刻な場合には排水構造が集水構造から抜け落ちたりする。上記の課題を回避するために、排水構造と集水構造との接続箇所に緩衝室８０２を設け、緩衝室８０２の緩衝作用によって上記リスクの発生を低下させる。
【００４６】
更に、前記緩衝室８０２は、集水室４００と前記排水管４０１との接続箇所に設けられる。
【００４７】
方案１：前記集水室４００の底壁を下方に凹陥させることで緩衝室８０２を形成し、前記第１排水口９００を緩衝室８０２の室壁に設ける。水流は、まず緩衝室８０２に流入して緩衝室８０２の緩衝作用を受けるため、集水構造と排水構造との接続箇所に対する水流の衝撃が過度に大きいことに起因する排水構造の抜け落ちが防止される。また、第１排水口９００は緩衝室の底壁に設けられるため、緩衝室８０２に流入した水は全て排出される。よって、水による緩衝室８０２の損傷が減少する。
【００４８】
更に、集水室４００の底壁を下方に凹陥させて底壁と側壁を有する凹型空洞を形成する。そして、前記第１排水口９００を凹型空洞の底壁８０２−１に開設することで、凹型空洞内への水溜まりを防止する。
【００４９】
更に、前記凹型空洞の側壁８０２−２を傾斜面とする。前記凹型空洞の側壁８０２−２は、水流方向において徐々に凹型空洞の軸線方向へと収縮し、水流を徐々に変化させる。これにより、水流はゆっくりと凹型空洞へ流入する。
【００５０】
方案２：前記排水管は、給水端、排水端及び給水端と排水端の間に設けられる本体を含む。排水管４０１の給水端が緩衝室８０２を形成するよう、前記給水端の直径は本体の管径よりも大きくなっている。
【００５１】
更に、前記排水管４０１の給水端の直径は、排水管４０１の本体の直径に達するまで水流方向において徐々に縮小することで傾斜面を形成する。
【００５２】
第１排水口９００の辺縁は下方に延伸することで管状構造を形成する。管状構造は雄ネジを有し、排水管の給水端は雌ネジを有する。管状構造と排水管がネジ接続されることで、排水管が集水構造に固定される。
【００５３】
更に、図３に示すように、洗濯機は開放／閉止可能な制御構造８０１を含む。制御構造８０１は排水構造に設けられ、排水構造と連通することで常時開状態となる。洗濯機が正常運転状態の場合には、制御構造８０１が開放状態となって排水構造を開通状態とするため、水は重力の作用により集水構造から常時排出可能となる。一方、洗濯機が故障又は排水に適さない場合には、制御構造８０１が閉止されることで排水構造が遮断され、水が流出不可能となる。
【００５４】
方案１：洗濯機は更に主制御装置８００を含み、前記制御構造８０１が主制御装置８００に電気的に接続される。前記制御構造８０１は常時開電磁弁であり、前記常時開電磁弁が排水管４０１と連通する。
【００５５】
洗濯機が正常状態の場合、常時開電磁弁は開放状態となって排水管４０１を開通状態とするため、集水構造内の水を常時排出可能となる。一方、洗濯機が故障状態又は洗浄水の排出に適さない場合には、主制御装置８００が常時開電磁弁を閉止するよう制御する。また、故障が解消されると常時開電磁弁が再び開放され、正常に排水される。
【００５６】
方案２：制御構造８０１は機械式バルブとしてもよい。洗濯機が正常状態の場合、機械式バルブは常に開放状態であるが、故障時には手動で閉止する。
【００５７】
更に、排水管内にはフィルタが設けられる。直接排出構造は排水管が詰まりやすいため、排水管内にフィルタを設けることで排出する水を濾過し、詰まりを防止する。これにより、使用寿命が延びる。
【００５８】
フィルタは、洗浄しやすいよう排水管路の内壁に取り外し可能に接続される。接続には、係接又はネジ接続を適用可能である。
【００５９】
前記集水室４００の側壁と前記内槽２００の槽底の外壁との間には一定の間隔が設けられている。
【００６０】
集水室４００の側壁の上端を内槽２００の槽底よりも低くし、且つ、集水室４００の側壁と内槽２００の槽底の外壁との間に一定の間隔を設けることで、洗濯槽２０６が震動時に集水室４００の側壁に衝突するとの事態が防止されるため、集水室４００の使用寿命が延びる。
【００６１】
前記内槽２００は、脱水時の排水に用いられる第３排水口２０１と、第３排水口２０１と連通する第１排水管路２０２を含む。前記第１排水管路２０２の吐水口２０３は集水構造と連通する。第３排水口２０１と連通する第１排水管路２０２によって洗濯槽２０６内の水を集水構造に排出し、排水管４０１により水を排出する。
【実施例２】
【００６２】
図１〜４に示すように、本実施例は実施例１を更に限定する。本実施例において、前記集水構造は、装着プレート５００と、装着プレート５００に設けられる堰止リブ５０１を含む。また、前記装着プレート５００と堰止リブ５０１で取り囲むようにして集水室４００が形成される。装着プレート５００と堰止リブ５０１を設け、これらで取り囲むようにして集水室４００が形成されるため、当該構造はシンプルであり、加工成形が容易である。
【００６３】
集水室４００は装着プレート５００の中央部に位置するため、堰止装置の重心が中心といっそう重なりやすく、ずれが減少する。
【００６４】
前記堰止リブ５０１は環状をなしており、前記堰止リブ５０１と装着プレート５００で取り囲むようにして環状の集水室４００が形成される。
【００６５】
更に、前記堰止リブ５０１は傾斜して設けられる。堰止リブ５０１を傾斜状に設けることで、堰き止め量を最大限増加させられるため、使用にいっそう都合がよい。
【００６６】
更に、前記堰止リブ５０１は、上開口の口径がより大きくなるよう、上から下に集水室４００の中心軸線方向へと徐々に収縮しているため、集水がより容易となる。
【００６７】
更に、前記内槽２００の底部外壁は曲面をなしており、前記堰止リブ５０１と内槽２００の曲面の間に一定の間隔が設けられている。
【００６８】
更に、前記内槽２００の水平方向の投影図は、前記集水室４００の水平方向の投影図に被さる。内槽２００の水平方向の投影図が前記集水室４００の水平方向の投影図に被さるようにすることで、集水室４００と筐体１００との間隔が増大する。これにより、筐体１００に対する集水室４００の衝突が防止されるため、集水室４００の破損が減少する。且つ、集水室４００が小さくなるため、筐体１００の底部に対するその他装置の装着がいっそう容易となる。
【００６９】
より多くの水を収集可能となるよう、前記内槽２００の水平方向の投影図は、前記集水室４００の水平方向の投影図より小さくしてもよい。
【００７０】
更に、装着プレート５００には排水管４０１が設けられている。排水管４０１は一端が集水室４００と連通し、他端が洗濯機の外部に通じるか、洗濯機の排水管路全体と連通して水を排出する。集水室４００に集水構造内の水を排出するための排水管４０１を設けることで、水が集水室４００に排出されると、排水管４０１を通じて集水室４００内の水が排出される。よって、集水室４００内の水が過剰となって溢れ出すとの事態が防止される。
【００７１】
更に、内槽２００の槽壁には、第３排水口２０１と、第３排水口２０１と連通する第１排水管路２０２が設けられている。前記第１排水管路２０２の吐水口２０３は、集水室４００の上開口の上方に設けられている。第３排水口２０１と第１排水管路２０２はいずれも複数とし、各第３排水口２０１がそれぞれ第１排水管路２０２に対応してもよいし、複数の第３排水口２０１が１つの第１排水管路２０２に対応してもよい。洗濯機が脱水プログラムを実行する際には、内槽２００の遠心分離の作用で振り飛ばされた水が、第３排水口２０１を経由して第１排水管路２０２に進入するとともに、第１排水管路２０２の吐水口２０３を通じて集水室４００に排出される。これにより、四方への水の溢流が堰き止められる。
【００７２】
前記第１排水管路２０２の吐水口２０３は、集水室４００の上開口の上方に設けられている。吐水口２０３と集水構造を連通することで、脱水時に水が第３排水口２０１を通じて第１排水管路２０２に進入してから、吐水口２０３を通じて集水室４００へと排出されるため、水が溢れ出さないよう堰き止められる。吐水口２０３は、堰止リブ５０１により取り囲まれた集水室４００の上開口の上方に設けられ、吐水口２０３から排出された水が集水室４００に直接落下する。当該構造はよりシンプルであり、その他の付属部材を追加しなくとも集水効果がいっそう良好となる。
【００７３】
更に、前記内槽２００は、脱水及び／又は水の振り飛ばし時に内槽２００内の水を集水室４００に排出するための第２排水口２０４を更に含む。第２排水口２０４と集水室４００の間には封止装置２０５が設けられている。前記封止装置２０５は、脱水及び／又は水の振り飛ばし時に第２排水口２０４を開放し、内槽２００内の大量の水を第２排水口２０４から排出する一方、洗濯時には前記第２排水口２０４を封止し、水を内槽２００内に保持して洗濯を実施する。
【００７４】
更に、前記第２排水口２０４は、前記集水室４００の上開口の上方に設けられており、前記封止装置２０５は第２排水口２０４の下部に設けられている。
【００７５】
第２排水口２０４を設け、脱水及び／又は水の振り飛ばし時に封止装置２０５が第２排水口２０４を開放することで、内槽２００内の水が集水構造に直接排出される。水は堰止リブ５０１によって溢れ出ないよう堰き止められつつ、排水管４０１を通じて洗濯機から排出される。また、洗濯時には、封止装置２０５が第２排水口２０４を封止することで、内槽２００内の水を内槽２００内に保持して洗濯を実施する。
【００７６】
洗濯機は、パルセータ洗濯機である。
【００７７】
前記封止装置２０５は、バルブプラグ２０５−１と、バルブプラグ２０５−１の下方に設けられる電磁装置２０５−２を含む。電磁装置２０５−２は洗濯機の制御装置に電気的に接続される。洗濯機が洗濯状態の場合、バルブプラグ２０５−１は第２排水口２０４を封止して内槽２００内の水の排出を防止する。また、洗濯機が排水又は脱水状態の場合、前記電磁装置２０５−２はバルブプラグ２０５−１が下方に運動するよう制御し、第２排水口２０４を開放することで水を集水構造に排出する。
【００７８】
装着プレート５００には位置決め装置が設けられており、内槽２００の底壁には位置決め装置と連携する連携部が設けられている。連携部は位置決め凹溝とすればよい。脱水及び／又は水の振り飛ばし時において、位置決め装置は連携部から離脱し、内槽２００が出力軸３０３に従って回転する。洗濯機が洗濯状態の場合、位置決め装置は連携部と連携し、内槽２００が装着プレート５００に係合する。すると、バルブプラグ２０５−１がちょうど第２排水口２０４と対向し、第２排水口２０４を封止することで、内槽２００内の水の排出が防止される。また、出力軸が洗濯機内のパルセータを回転させる。
【００７９】
更に、前記装着プレート５００は内槽２００と駆動装置３００の間に設けられる。前記装着プレート５００の下部は、駆動装置３００のハウジングに固定接続される。装着プレート５００を内槽２００と駆動装置３００の間に設けることで、内槽２００内の水が自重により落下して、自動的に集水構造に流入可能となる。また、装着プレート５００が駆動装置３００の上部に設けられるため、水が駆動装置３００から隔離される。よって、水に起因する駆動装置３００の破損が防止される。
【００８０】
駆動装置３００はモータ３０１を含む。モータ３０１の上方には減速クラッチ装置３０２が設けられており、装着プレート５００の下部が減速クラッチ又はモータ３０１のハウジングに固定接続される。
【００８１】
装着プレート５００と駆動装置３００の接続方式としては、軸受を介して前記装着プレート５００と駆動装置３００の出力軸３０３を接続してもよい。
【００８２】
更に、減速クラッチの出力軸３０３は、前記装着プレート５００を貫通して内槽２００に接続され、内槽２００を回転駆動する。また、装着プレート５００と駆動装置３００の出力軸３０３は軸受を介して接続される。
【実施例３】
【００８３】
図１〜４に示すように、懸架式容量拡大洗濯機は、筐体１００、筐体１００内に設けられる洗濯槽２０６及び駆動装置３００を含む。前記駆動装置３００の出力軸３０３は、洗濯槽２０６に接続されて洗濯槽２０６を回転駆動する。洗濯機は、更に、懸架式制震部材６００と、洗濯槽２０６の下部に設けられる装着部材７００を含む。前記駆動装置３００は前記装着部材７００に装着される。前記懸架式制震部材６００は、一端が筐体１００に接続され、他端が装着部材７００に接続される。
【００８４】
洗濯槽２０６の下方に装着部材７００を設け、懸架式制震部材６００を装着部材７００に装着する。装着部材７００は洗濯槽２０６の位置よりも下寄りであることから、装着部７０１の縦方向の高さが低下する。そのため、装着された懸架式制震部材６００と筐体の側壁の間の傾斜角度θが小さくなり、懸架式制震部材６００による占有スペースが縮小される。当該構造を洗濯槽２０６と筐体１００の間に懸架する場合、筐体１００の体積を増大することなく洗濯槽２０６の直径を増大可能となり、容量を拡大するとの目的が実現される。
【００８５】
洗濯槽２０６は、内槽２００のみを有する洗濯槽２０６とし、内槽２００を注水及び洗濯に用いてもよいし、内槽２００と外槽を有する洗濯槽２０６としてもよい。
【００８６】
更に、前記装着部材７００は、懸架式制震部材６００に組み付けられる装着部７０１を含む。前記装着部７０１は、前記洗濯槽２０６の槽底よりも低くなっている。
【００８７】
装着部７０１は洗濯槽２０６の槽底よりも低くなっているため、洗濯槽２０６と筐体１００の間のスペースを占有しない。よって、洗濯槽２０６の直径を増大可能となり、容量拡大が実現される。
【００８８】
更に、前記装着部７０１は、前記洗濯槽２０６の槽底の下方に位置している。装着部７０１が洗濯槽２０６の槽底より低く設けられているため、懸架式制震部材６００と装着部７０１を組み付けた場合に、懸架式制震部材６００と筐体１００の間に形成される傾斜角度が小さくなる。即ち、懸架式制震部材６００と筐体１００の内壁がいっそう密着するため、洗濯槽２０６にいっそう十分なスペースが保持される。よって、洗濯槽２０６の直径を増大することで容量を拡大するとの目的を実現可能となる。
【００８９】
更に、前記装着部７０１の水平方向の投影図は、前記洗濯槽２０６の水平方向の投影図の外側に位置する。
【００９０】
装着部７０１が洗濯槽２０６の槽底の下方に設けられ、洗濯槽２０６と筐体１００の間のスペースを占有しないことから、装着部７０１は洗濯槽２０６と衝突し得ない。これを前提として、装着部７０１の水平方向の投影図が前記洗濯槽２０６の水平方向の投影図の外側に位置するよう、装着部７０１を水平方向において洗濯槽２０６の槽壁の外側まで延伸する。これにより、懸架式制震部材６００の装着スペースが更に縮小するため、洗濯槽２０６の装着スペースが増大し、洗濯槽２０６の容量拡大が実現される。
【００９１】
更に、前記出力軸３０３は、装着部材７００を貫通して洗濯槽２０６に接続され、洗濯槽２０６を回転駆動する。また、前記装着部材７００と出力軸３０３は軸受を介して接続される。
【００９２】
装着部材７００は、装着部材７００、駆動装置３００及び洗濯槽２０６が相対的に独立したひと固まりとなるよう、駆動装置３００のハウジングに固定接続してもよい。また、装着部材７００は、装着部材７００、駆動装置３００及び洗濯槽２０６が相対的に独立したひと固まりとなるよう、駆動装置３００のハウジングに固定接続するとともに、軸受を介して出力軸３０３に接続してもよい。
【００９３】
前記装着部材７００は、装着部材７００、駆動装置３００及び洗濯槽２０６が相対的に独立したひと固まりとなるよう、軸受を介して出力軸３０３に接続され、及び／又は、駆動装置３００のハウジングに固定接続される。また、制震部材によって装着部材７００の震動が軽減し、更には洗濯槽２０６、駆動装置３００の震動軽減が実現されるため、良好な制震効果が実現される。
【００９４】
前記装着部材７００は中心対称構造をなしている。また、前記懸架式制震部材６００は複数とし、複数の前記懸架式制震部材６００が装着部材７００の全周に均一に分布している。
【００９５】
装着プレート５００を中心対称構造とすることで、装着プレート５００、洗濯槽２０６及びモータ３０１の全体的な重心がずれる可能性が低減し、より良好な制震効果が実現される。また、装着プレート５００を円形とすることで、駆動装置３００を装着しやすくなるほか、構造がより安定的となる。
【実施例４】
【００９６】
図１〜４に示すように、本実施例は実施例３を更に限定する。本実施例における装着部材７００は、平板状の円形の装着プレート５００であり、装着プレート５００の直径が前記洗濯槽２０６の直径よりも大きくなっている。前記装着プレート５００は洗濯槽２０６の下方に設けられ、前記懸架式制震部材６００の下端が装着プレート５００の辺縁に組み付けられる。これにより、懸架式制震部材６００と装着プレート５００との接続部が洗濯槽２０６の下部に位置するとともに、洗濯槽２０６の周方向の外側に位置する。即ち、装着部７０１は洗濯槽２０６の槽底の斜め下方に位置することから、懸架式制震部材６００の懸架スペースが縮小される。そのため、筐体１００の体積を増大させることなく、洗濯槽２０６のために保持されるスペースが増大する。
【００９７】
前記駆動装置３００は装着プレート５００の下部に組み付けられる。前記駆動装置３００の出力軸３０３は前記装着プレート５００を貫通し、軸受を介して前記装着プレート５００に接続される。
【００９８】
懸架式制震部材６００は４つとし、円形の装着プレート５００の全周に均一に分布している。
【００９９】
前記制震部材は、懸架ロッド６０２と、減衰力を発生させる制震ユニット６０１を含む。前記懸架ロッド６０２は、一端が筐体１００の上部に固定され、他端が前記装着部７０１を貫通して制震ユニット６０１に接続される。
【０１００】
制震ユニット６０１は装着プレート５００の下部に位置するため、制震ユニット６０１が水平方向において筐体１００と洗濯槽２０６の間のスペースを占有することがない。よって、制震ユニット６０１により洗濯槽２０６の容量拡大が妨げられるとの事態が低減する。
【０１０１】
制震部材と筐体１００及び装着プレート５００との装着方式としては、更に、前記筐体１００の上部に装着ベースを設け、前記懸架ロッド６０２の一端が装着部材７００に接続されるとともに、他端が装着ベースを貫通して制震ユニット６０１に接続されるようにしてもよい。
【０１０２】
装着部材７００は、十字型の装着プレート５００としてもよい。懸架式制震部材６００は、十字型の装着プレート５００における各分岐の辺縁にそれぞれ接続される。懸架式制震部材６００と十字型の装着プレート５００を接続する装着部７０１は洗濯槽２０６の槽底より低くなっているため、洗濯槽２０６と筐体１００の間のスペースを占有することがない。且つ、装着部７０１を低くすることで、懸架式制震部材６００の装着スペースが縮小され、洗濯槽２０６の容量拡大が実現される。
【０１０３】
装着プレート５００は平板としてもよいし、中央が高く辺縁が低い構造としてもよい。例えば、環状の辺縁プレート、円形の中心プレート、及び辺縁プレートと中心プレートを接続する接続垂直プレートを含み、断面が「Ω」状をなすようにしてもよい。
【０１０４】
装着プレート５００は、駆動装置３００のハウジングに固定接続してもよいし、言うまでもなく、軸受を介してハウジング及び出力軸３０３の双方に接続してもよい。
【実施例５】
【０１０５】
図１〜４に示すように、実施例３及び実施例４を元に、本実施例では、制震装置がモータ３０１を含む。モータには減速クラッチが設けられており、減速クラッチの出力軸３０３が洗濯槽２０６に接続されて洗濯槽２０６を回転駆動する。前記制震装置は、第１制震部材７０３を更に含む。前記第１制震部材７０３は、一端が装着部材７００に可動に接続され、他端が筐体１００の底部に可動に接続される。第１制震部材７０３は装着部材７００に下方向の引っ張り力を付与する。これにより、装着部材７００は、第１制震部材７０３からの下方向の引っ張り力と懸架式制震部材６００からの上方向の引っ張り力を同時に受けることになり、これらの合力の作用によって、より良好な制震効果が実現される。
【０１０６】
装着部材７００は円形且つ平板状の装着プレート５００である。懸架式制震部材６００が上部から装着プレート５００に接続され、第１制震部材７０３が下部から装着プレート５００に接続されることで、懸架式制震部材６００と第１制震部材７０３が同時に装着プレート５００に作用可能となる。これにより、装着プレート５００に制震作用が奏されるため、洗濯槽２０６とモータ３０１に対する制震効果が実現される。
【０１０７】
装着部材７００の他の方案として、装着部材７００は、懸架式制震部材６００に接続される装着大プレート７００−１と、第１制震部材７０３に接続される装着小プレート７００−２を含む。装着大プレート７００−１と装着小プレート７００−２は、装着部材の強度が補強されるよう補強リブを介して接続される。補強リブは間隔を置いて設けられるため、補強効果がより良好となる。洗濯機の筐体１００の底壁には、補強構造を設置したり、その他の部材を装着したりする必要があるため、一般的には、装着大プレート７００−１の直径を装着小プレート７００−２の直径よりも大きく設計することで、その他の部材を装着するためのスペースを提供する。このように、分割して設けることで装着部材７００下方のスペースがより節約されるため、使用にいっそう都合がよい。
【０１０８】
更に、前記第１制震部材７０３は、一端が装着部材７００にヒンジ接続され、他端が筐体１００の底部にヒンジ接続される。
【０１０９】
更には、前記第１制震部材７０３はアブソーバである。
【０１１０】
更に、洗濯機は、駆動装置３００に設けられる第２制震部材７０４を含む。前記第２制震部材７０４は、一端が駆動装置３００に固定接続されるとともに、他端が筐体１００の底壁に固定接続される。
【０１１１】
第２制震部材７０４を設け、駆動装置３００に下方向の引っ張り力又は上方向の弾性力を付与するとともに、第１制震部材７０３と懸架式制震部材６００を組み合わせることで、装着プレート５００、駆動装置３００及び洗濯槽２０６から形成されるひと固まりに対し、各部材の相互作用によってより良好な制震効果が奏される。
【０１１２】
更に、前記第２制震部材７０４は、一端がモータ３０１の固定子に固定接続され、他端が筐体１００の底壁に固定接続される。
【０１１３】
更には、第２制震装置は制震バネである。
【０１１４】
更に、洗濯機には、内槽２００から排出される水が溢れ出さないよう堰き止める集水構造が設けられている。前記集水構造は全体が前記内槽２００の槽底の下部に位置する。集水構造は、上開口を有する集水室４００を含む。前記集水室４００の側壁の上端は、前記内槽２００の槽底よりも低くなっている。また、前記内槽２００は集水室４００の上開口と連通する。
【０１１５】
具体的に、装着プレート５００には堰止リブ５０１が設けられ、前記装着プレート５００と堰止リブ５０１で取り囲むようにして集水室４００が形成される。装着プレート５００と堰止リブ５０１を設け、これらで取り囲むようにして集水室４００が形成されるため、当該構造はシンプルであり、加工成形が容易である。
【０１１６】
集水室４００は装着プレート５００の中央部に位置するため、堰止装置の重心が中心といっそう重なりやすく、ずれが減少する。
【０１１７】
前記堰止リブ５０１は環状をなしており、前記堰止リブ５０１と装着プレート５００で取り囲むようにして環状の集水室４００が形成される。
【０１１８】
更に、前記堰止リブ５０１は傾斜して設けられる。堰止リブ５０１を傾斜状に設けることで、堰き止め量を最大限増加させられるため、使用にいっそう都合がよい。
【０１１９】
更に、前記堰止リブ５０１は、上開口の口径がより大きくなるよう、上から下に集水室４００の中心軸線方向へと徐々に収縮しているため、集水がより容易となる。
【０１２０】
更に、前記内槽２００の底部外壁は曲面をなしており、前記堰止リブ５０１と内槽２００の曲面の間に一定の間隔が設けられている。
【０１２１】
更に、前記内槽２００の水平方向の投影図は、前記集水室４００の水平方向の投影図に被さる。内槽２００の水平方向の投影図が前記集水室４００の水平方向の投影図に被さるようにすることで、集水室４００と筐体１００との間隔が増大する。これにより、筐体１００に対する集水室４００の衝突が防止されるため、集水室４００の破損が減少する。且つ、集水室４００が小さくなるため、筐体１００の底部に対するその他装置の装着がいっそう容易となる。
【０１２２】
より多くの水を収集可能となるよう、前記内槽２００の水平方向の投影図は、前記集水室４００の水平方向の投影図より小さくしてもよい。
【０１２３】
更に、装着プレート５００には排水管４０１が設けられている。排水管４０１は一端が集水室４００と連通し、他端が洗濯機の外部に通じるか、洗濯機の排水管路全体と連通して水を排出する。集水室４００に集水構造内の水を排出するための排水管４０１を設けることで、水が集水室４００に排出されると、排水管４０１を通じて集水室４００内の水が排出される。よって、集水室４００内の水が過剰となって溢れ出すとの事態が防止される。
【０１２４】
更に、内槽２００の槽壁には、第３排水口２０１と、第３排水口２０１と連通する第１排水管路２０２が設けられている。前記第１排水管路２０２の吐水口２０３は、集水室４００の上開口の上方に設けられている。第３排水口２０１と第１排水管路２０２はいずれも複数とし、各第３排水口２０１がそれぞれ第１排水管路２０２に対応してもよいし、複数の第３排水口２０１が１つの第１排水管路２０２に対応してもよい。洗濯機が脱水プログラムを実行する際には、洗濯槽２０６の遠心分離の作用で振り飛ばされた水が、第３排水口２０１を経由して第１排水管路２０２に進入するとともに、第１排水管路２０２の吐水口２０３を通じて集水室４００に排出される。これにより、四方への水の溢流が堰き止められる。
【０１２５】
前記第１排水管路２０２の吐水口２０３は、集水室４００の上開口の上方に設けられている。吐水口２０３と集水構造を連通することで、脱水時に水が第３排水口２０１を通じて第１排水管路２０２に進入してから、吐水口２０３を通じて集水室４００へと排出されるため、水が溢れ出さないよう堰き止められる。吐水口２０３は、堰止リブ５０１により取り囲まれた集水室４００の上開口の上方に設けられ、吐水口２０３から排出された水が集水室４００に直接落下する。当該構造はよりシンプルであり、その他の付属部材を追加しなくとも集水効果がいっそう良好となる。
【０１２６】
更に、前記内槽２００は、脱水及び／又は水の振り飛ばし時に内槽２００内の水を集水室４００に排出するための第２排水口２０４を更に含む。第２排水口２０４と集水室４００の間には封止装置２０５が設けられている。前記封止装置２０５は、脱水及び／又は水の振り飛ばし時に第２排水口２０４を開放し、内槽２００内の大量の水を第２排水口２０４から排出する一方、洗濯時には前記第２排水口２０４を封止し、水を内槽２００内に保持して洗濯を実施する。
【０１２７】
更に、前記第２排水口２０４は、前記集水室４００の上開口の上方に設けられており、前記封止装置２０５は第２排水口２０４の下部に設けられている。
【０１２８】
第２排水口２０４を設け、脱水及び／又は水の振り飛ばし時に封止装置２０５が第２排水口２０４を開放することで、内槽２００内の水が集水構造に直接排出される。水は堰止リブ５０１によって溢れ出ないよう堰き止められつつ、排水管４０１を通じて洗濯機から排出される。また、洗濯時には、封止装置２０５が第２排水口２０４を封止することで、内槽２００内の水を内槽２００内に保持して洗濯を実施する。
【０１２９】
洗濯機は、パルセータ洗濯機である。
【０１３０】
前記封止装置２０５は、バルブプラグ２０５−１と、バルブプラグ２０５−１の下方に設けられる電磁装置２０５−２を含む。電磁装置２０５−２は洗濯機の制御装置に電気的に接続される。洗濯機が洗濯状態の場合、バルブプラグ２０５−１は第２排水口２０４を封止して内槽２００内の水の排出を防止する。また、洗濯機が排水又は脱水状態の場合、前記電磁装置２０５−２はバルブプラグ２０５−１が下方に運動するよう制御し、第２排水口２０４を開放することで水を集水構造に排出する。
【０１３１】
装着プレート５００には位置決め装置が設けられており、内槽２００の底壁には位置決め装置と連携する連携部が設けられている。連携部は位置決め凹溝とすればよい。脱水及び／又は水の振り飛ばし時において、位置決め装置は連携部から離脱し、内槽２００が出力軸３０３に従って回転する。洗濯機が洗濯状態の場合、位置決め装置は連携部と連携し、内槽２００が装着プレート５００に係合する。すると、バルブプラグ２０５−１がちょうど第２排水口２０４と対向し、第２排水口２０４を封止することで、内槽２００内の水の排出が防止される。また、出力軸が洗濯機内のパルセータを回転させる。
【０１３２】
更に、前記装着プレート５００は内槽２００と駆動装置３００の間に設けられる。前記装着プレート５００の下部は、駆動装置３００のハウジングに固定接続される。装着プレート５００を内槽２００と駆動装置３００の間に設けることで、内槽２００内の水が自重により落下して、自動的に集水構造に流入可能となる。また、装着プレート５００が駆動装置３００の上部に設けられるため、水が駆動装置３００から隔離される。よって、水に起因する駆動装置３００の破損が防止される。
【０１３３】
駆動装置３００はモータ３０１を含む。モータ３０１の上方には減速クラッチ装置３０２が設けられており、装着プレート５００の下部が減速クラッチ又はモータ３０１のハウジングに固定接続される。
【０１３４】
装着プレート５００と駆動装置３００の接続方式としては、軸受を介して前記装着プレート５００と駆動装置３００の出力軸３０３を接続してもよい。
【０１３５】
更に、減速クラッチの出力軸３０３は、前記装着プレート５００を貫通して内槽２００に接続され、内槽２００を回転駆動する。また、装着プレート５００と駆動装置３００の出力軸３０３は軸受を介して接続される。
【０１３６】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【０１３７】
１００      筐体
２００      内槽
２０１      第３排水口
２０２      第１排水管路
２０３      吐水口
２０４      第２排水口
２０５      封止装置
２０５−１  バルブプラグ
２０５−２  電磁装置
２０６      洗濯槽
３００      駆動装置
３０１      モータ
３０２      減速クラッチ装置
３０３      出力軸
４００      集水室
４０１      排水管
５００      装着プレート
５０１      堰止リブ
６００      懸架式制震部材
６０１      制震ユニット
６０２      懸架ロッド
７００      装着部材
７００−１  装着大プレート
７００−２  装着小プレート
７０１      装着部
７０３      第１制震部材
７０４      第２制震部材
８００      主制御装置
８０１      制御構造
８０２      緩衝室
８０２−１  凹型空洞の底壁
８０２−２  凹型空洞の側壁
９００      第１排水口
【図１】
2020516383.tif 000003
【図２】
2020516383.tif 000004
【図３】
2020516383.tif 000005
【図４】
2020516383.tif 000006
【国際調査報告】
2020516383.tif 000007
2020516383.tif 000008
2020516383.tif 000009
2020516383.tif 000010